(57)【要約】【課題】スキャナ前準備作業を専用装置を用いる別工程とせず、スキャナ分解工程に組込むことが可能なスキャナ制御装置を提供することを課題とする。【解決手段】対象とする原稿のプレスキャンデータと、この原稿のあたり画像を含む割付指定イメージデータとの二つの画像データを同時にモニタ上に表示し、少なくともいずれか一方の画像データを対話的に変倍回転平行移動し、その結果をモニタ上に重ねて表示する機能と、操作者が測定タイミングを指示した時に、前記原稿に対する前記割付指定上のあたり画像の倍率と角度を示す値を、当該原稿のプレスキャンデータに関係付けて記録する機能と、を備え、このスキャナ制御装置によって制御されるスキャナが原稿画像をスキャン入力中に、この対話型倍率角度測定手段を動作させて他の原稿画像の倍率角度測定を行うことができるように構成することにより上記課題を解決する。【選択図】　図１
2004004280.tif 000002
【特許請求の範囲】
【請求項１】
対話型倍率角度測定手段を備えるスキャナ制御装置であって、
前記対話型倍率角度測定手段は、
対象とする原稿のプレスキャンデータと、この原稿のあたり画像を含む割付指定イメージデータとの二つの画像データを同時にモニタ上に表示し、少なくともいずれか一方の画像データを対話的に変倍回転平行移動し、その結果をモニタ上に重ねて表示する機能と、
操作者が測定タイミングを指示した時に、前記原稿に対する前記割付指定上のあたり画像の倍率と角度を示す値を、当該原稿のプレスキャンデータに関係付けて、もしくは、当該原稿の本スキャン用設定データの一部として、記録する機能と、を備え、
このスキャナ制御装置によって制御されるスキャナが原稿画像をスキャン入力中に、この対話型倍率角度測定手段を動作させて他の原稿画像の倍率角度測定を行うことができるように構成されることを特徴するスキャナ制御装置。
【請求項２】
前記対話型倍率角度測定手段は、対象とする原稿のプレスキャンデータと、この原稿のあたり画像を含む割付指定イメージデータとの二つの画像データを同時にモニタ上に表示する際に、それらの重なり具合を目視確認しやすいようにするために、少なくともいずれか一方の画像を半透明に表示させる画像演算手段を備えることを特徴とする請求項１に記載の対話型倍率角度測定手段を備えるスキャナ制御装置。
【請求項３】
前記対話型倍率角度測定手段は、対象とする原稿のプレスキャンデータと、この原稿のあたり画像を含む割付指定イメージデータとの二つの画像データを同時にモニタ上に表示する際に、それらの重なり具合を目視確認しやすいようにするために、少なくともいずれか一方の画像について輪郭線を抽出してこの輪郭線を元の階調画像とともにまたはこの輪郭線だけを表示させる画像演算手段を備えることを特徴とする請求項１に記載の対話型倍率角度測定手段を備えるスキャナ制御装置。
【発明の詳細な説明】
【０００１】
【発明の属する技術分野】
本発明は、倍率角度測定機能を有するスキャナ制御装置に関する。
【０００２】
【従来技術】
現在、印刷製版の分野では、個人用のコンピュータに画像処理や編集レイアウトのためのプロフェッショナル用の市販のソフトウエアをインストールして作業を行う、いわゆるＤＴＰ（ＤｅｓｋＴｏｐ　Ｐｕｂｌｉｓｈｉｎｇ）で行うことが主流となっている。カラー印刷物を制作する場合には、色分解スキャナを使ってカラー原稿を色分解して、上記画像処理や編集レイアウトのための市販ソフトウエアが扱うことのできるデジタルデータを得る。
【０００３】
色分解スキャナは、原稿の表面を主に機械的に走査して、原稿のある部分を透過しまたは反射する光を色分解フィルタを通して受光して電気的信号に変換するスキャナ本体部分と、スキャナに分解倍率や色分解のための条件を設定し、また、分解されたデータを受取るインターフェースを備えてスキャナのコントロールを行うスキャナ制御装置部分とに分けて考えることができる。
【０００４】
スキャナ色分解の前準備作業として、割付指定上のあたり画像のかたちから、当該原稿をあたり画像のようにはり込むために必要な分解倍率と角度を正確に計測することが行われる。分解倍率はスキャナ分解条件の設定の必須項目である。また正確な角度測定は、原稿を割付指示通りに効率よく集版するために必要な情報である。割付指示通りに効率よく集版するために、従来は、原稿を必要な角度で傾けてスキャンさせる方法が主流であった。その典型的な方法は、長方形のスキャナ準備シートに正確な角度を付けて原稿を貼付け、この準備シートの一辺をスキャナドラムの円周方向に揃えて巻き付けてスキャンする方法である。
【０００５】
編集レイアウト作業を行うコンピュータの演算能力は大幅に向上したため、画像の倍率変更や、回転をコンピュータ上で行わせても以前ほど時間がかからなくなった。したがって、現在では、編集レイアウト作業中にコンピュータで画像データの回転を演算させる方法も採られている。この場合においても、回転角度の指示と演算処理を１回で済ますためには、事前に正確な回転角度の値を得ている必要がある。
【０００６】
したがって、このようなスキャナ色分解の前準備作業の重要性は従来から変わっていない。従来、スキャナ色分解の準備作業は、特開昭６０−１１２０３９号公報に記載されているようなプロジェクション装置を用いて行っている。また、反射原稿や透過率の低い原稿への適用を考慮した特公平８−３３６４８号公報のような装置も提案されている。
【０００７】
【発明が解決しようとする課題】
特開昭６０−１１２０３９号公報あるいは特公平８−３３６４８号公報に記載されるような専用前準備装置を用いることは、工程が一つ増えるということであり、スキャナ部門の生産性を高める上で限界となる要因となっていた。
【０００８】
本発明はこのような問題点を考慮してなされたものであり、スキャナ前準備作業を専用装置を用いる別工程とせず、スキャナ分解工程に組込むことが可能なスキャナ制御装置を提供することを課題とする。
【０００９】
【課題を解決するための手段】
課題を解決する第１の発明は、対話型倍率角度測定手段を備えるスキャナ制御装置であって、その第１の態様は、
前記対話型倍率角度測定手段は、
対象とする原稿のプレスキャンデータと、この原稿のあたり画像を含む割付指定イメージデータとの二つの画像データを同時にモニタ上に表示し、少なくともいずれか一方の画像データを対話的に変倍回転平行移動し、その結果をモニタ上に重ねて表示する機能と、
操作者が測定タイミングを指示した時に、前記カラー原稿に対する前記割付指定上のあたり画像の倍率と角度を示す値を、当該カラー原稿のプレスキャンデータに関係付けて、もしくは、当該原稿の本スキャン用設定データの一部として、記録する機能と、を備え、
このスキャナ制御装置によって制御されるスキャナが原稿画像をスキャン入力中に、この対話型倍率角度測定手段を動作させて他の原稿画像の倍率角度測定を行うことができるように構成されることを特徴とすることを要旨とする。
【００１０】
ここで割付指定イメージデータという語を用いるが、これは、割付指定紙もしくはカラーカンプをスキャナで読取った画像データ、または、ＤＴＰ編集レイアウトソフトウエアで作成したレイアウトデータのことを意味する。
【００１１】
第１の発明の好ましい第２の態様は、第１の態様に係るスキャナ制御装置において、前記対話型倍率角度測定手段は、対象とする原稿のプレスキャンデータと、この原稿のあたり画像を含む割付指定イメージデータとの二つの画像データを同時にモニタ上に表示する際に、それらの重なり具合を目視確認しやすいようにするために、少なくともいずれか一方の画像を半透明に表示させる画像演算手段を備えることを特徴とするものである。
【００１２】
第１の発明の好ましい第３の態様は、第１の態様に係るスキャナ制御装置において、前記対話型倍率角度測定手段は、対象とする原稿のプレスキャンデータと、この原稿のあたり画像を含む割付指定イメージデータとの二つの画像データを同時にモニタ上に表示する際に、それらの重なり具合を目視確認しやすいようにするために、少なくともいずれか一方の画像について輪郭線を抽出してこの輪郭線を元の階調画像とともにまたはこの輪郭線だけを表示させる画像演算手段を備えることを特徴とする請求項１に記載の対話型倍率角度測定手段を備えることを特徴とするものである。
【００１３】
【発明の実施の形態】
以下図面を用いて、本発明の実施形態を説明してゆく。図１は、本発明の一実施形態であるスキャナ制御装置１の全体構成を説明するブロック図である。スキャナ制御装置１は、スキャナ制御装置１の主要部であるコンピュータ本体１０、モニタ１１、キーボード、マウス等の入力装置１２から構成される。コンピュータ本体１０には、スキャンした画像データを格納するハードディスク１５、スキャナインターフェース（以下スキャナＩＦ）１４を備えている。さらに、スキャナ制御手段１３、倍率角度測定手段１６を備えている。２０はスキャナ制御装置１により制御される色分解スキャナ本体である。制御されるスキャナとして平面スキャナ２１が接続される場合もある。スキャナ２０または２１は、ドラムに巻き付けられた原稿または平面ガラスに載置された原稿の表面を主に機械的に走査して、原稿の色を電気的信号に変換し、さらにデジタルデータにしてスキャナ制御装置１に送る。得られた画像のデジタルデータは、スキャナＩＦ１４を通してハードディスク１５に記録される。
【００１４】
スキャナ制御手段１３は、ドラムに巻き付けられている原稿のプレスキャンの実行のための操作画面をモニタ１１に表示し、スキャナ２０のプレスキャンを実行させる。またプレスキャンデータを用いて分解倍率やハイライトセットアップ等の本スキャンのための条件設定を行う対話入力画面をモニタ１１に表示し、オペレータの設定を受けて、これを設定データとしてスキャナＩＦ１４を通してスキャナ本体２０に設定する。
【００１５】
倍率角度測定手段１６は、オペレータに測定対象の原稿のプレスキャンデータと割付指定イメージを選択させて、それらをモニタ１１に表示し、このモニタ１１上で対話的に対象原稿を割付指定イメージの通りに集版するために必要な分解倍率、角度を測定するための対話的な画面インターフェースを提供するとともに、オペレータが測定タイミングを指示した時に、前記原稿に対する前記割付指定上のあたり画像の倍率と角度を示す値を、当該原稿のプレスキャンデータに関係付けて記録する。
【００１６】
図１は、スキャナ本体２０が本スキャン動作をする前の状態をも示している。スキャナ制御手段１３は、分解倍率やハイライトセットアップ等の色分解のための条件を設定する対話入力画面をモニタ１１に表示し、オペレータは入力装置１２を用いてこれらの設定を入力可能な状態である。設定された条件データはスキャナＩＦ１４を通じてスキャナ本体２０に送付される。この後、オペレータがスキャナ本体２０にてスキャン開始位置をセットしスタートスイッチを押すことにより本スキャンが始まる。通常は、スキャナ２０が原稿を走査読取り中に、スキャナ制御手段１３の提供する対話設定画面により別の原稿について条件設定することができるように構成される。図６はこの状態を模式的に表した図である。スキャナ本体２０が読取ったデジタルデータはスキャナＩＦ１４を通じてハードディスク１５に納められる。スキャナ制御手段１３は、この動作とは独立に並行して、モニタ１１および入力装置１２を使って別の原稿についての条件設定作業インターフェースを提供する。
【００１７】
本スキャン動作中は、前述のように、スキャナ制御手段１３を用いて他の原稿の条件設定を進める事ができるが、本発明に係るスキャナ制御装置１では、オペレータの選択により、倍率角度測定手段１６を利用して、選択した原稿に関しての倍率角度測定をも行うことができる。
【００１８】
次に倍率角度測定手段１６によって提供される倍率角度測定作業について説明する。オペレータは、割付指定イメージと測定対象の原稿のプレスキャン画像データをまず指定する。図２の４は割付指定イメージの一例を、図３の５はプレスキャン画像データの一例を示す。図４は、選択された割付指定イメージ４とプレスキャン画像データ５が、モニタ１１上の倍率角度測定画面１００に表示され、倍率角度測定作業中の状態を表した図である。１０１は、画像データ表示領域である。この実施形態では、割付指定イメージ４がバックに表示され、その上にプレスキャン画像５が重ねて表示される。１０２は原稿のＸ軸方向の倍率（Ｘ倍率）を表示設定する画面インターフェースである。１０２ａはＸ倍率の表示欄、１０２ｂ、１０２ｃはそれぞれＸ倍率の上げ下げを指示するボタンインターフェイスである。１０３は原稿のＹ軸方向の倍率（Ｙ倍率）を表示設定する画面インターフェースである。１０２と同様に表示欄、Ｙ倍率の上げ下げを指示するボタンインターフェースを含む。１０４は原稿の基準からの傾き１０４ａ、角度を表示設定する画面インターフェースである。１０２と同様に角度の表示欄、角度の傾けを指示するボタンインターフェース１０４ｂ、１０４ｃを含む。１０５は、プレスキャン画像５を平行移動させるための上下左右それぞれの方向への移動指示ボタンからなる画面インターフェースである。１０６は測定ボタン、１０７は戻るボタンである。
【００１９】
倍率角度測定作業の手順は、次のようなものとなる。オペレータは割付指定イメージ４を選択する。割付指定イメージ４が画像データ表示領域１０１に表示される。オペレータは測定対象とする原稿のプレスキャン画像データ５を選択する。プレスキャン画像データ５が画像データ表示領域１０１に割付指定イメージ４の上に重ねて表示される。この状態では、一般に、割付指定イメージ４およびプレスキャン画像データ５の大きさと角度は一致しない。この、プレスキャン画像データ５が呼出され読取られたままで表示されている状態では、インターフェース１０２ａ、１０３ａは、ＸＹ方向とも１００％が表示される。角度も当初は０度が１０４ａに表される。また、プレスキャン画像データ５は、割付指示イメージとの重なり具合を見やすくするため、半調で表示される。すなわち、階調値１００％を５０％とし、画像全体に階調値を半分にして画像のコントラストを半分に減じた状態で割付指定イメージに合成して表示する。
【００２０】
オペレータは、プレスキャン画像データ５が割付指定イメージ４に現われているカラー原稿の絵のかたちに一致するように、１０２、１０３の倍率、１０４の角度、１０５の並行移動の各ボタンインターフェースを操作する。１０２ａ、１０３ａのＸＹ方向それぞれの倍率表示、１０４ａの角度表示はその都度変化する。オペレータは、プレスキャン画像データ５が割付指定イメージ４に現われているカラー原稿の絵のかたちに一致したと視認できた時に測定ボタン１０６をクリックする。するとその時点での倍率、角度の値が測定値として、測定したプレスキャン画像データ５に関係付けてハードディスクに記録される。例えば、対象とするプレスキャン画像データと同じでファイル拡張子だけを替えたファイル名の、倍率角度測定値をテキストデータで保持するデータファイルとして記録する。あるいは、当該原稿データの本スキャン用設定データの一部として記録されるようにしてもよい。
【００２１】
このデータファイルのＸＹ倍率値は、後に、そのプレスキャン画像に係る原稿に対して分解条件を設定する時に、スキャナ制御手段１３から読取られて、他の種類の分解条件とともに、設定条件としてスキャナ本体２０にセットされる。また、そのデータファイルに含まれる角度値は、後でプリントアウトする等して、正確に角度を付けて原稿をスキャナドラムに、または平面スキャナの原稿置き台にセットするために利用したり、または、編集レイアウト作業中にコンピュータの演算処理により必要な角度回転させるための正確な指示情報として利用される。
【００２２】
以上説明したスキャナ制御手段１３および倍率角度測定手段１６は、倍率角度測定手段１６をスキャナ制御手段１３から呼出される下位のサブルーチンプログラムとして、ソフトウエアプログラムとして実現することができる。図５に、そのようにソフトウエアプログラムとして実現した場合の倍率角度測定手段１６の処理フローを示す。まず、オペレーターは割付指定イメージ、プレスキャン画像データのそれぞれのデータファイルを選択する（Ｓ１０）。プレスキャン画像データは半調データに変換される（Ｓ１３）。次にこの半調データを割付指定イメージに合成して表示エリア１０１に表示する。以後図４の状態の対話入力ＩＦ１０２〜１０７が提供される（Ｓ１６）。
【００２３】
倍率角度測定手段１６は、オペレータの対話入力操作を待っており、何らかの対話入力操作が行われると、これを判別して、それぞれの場合に応じて適切な処理ルーチンを呼出す。１０５の平行移動ボタンＩＦが操作された場合は、指示に応じて半調データを平行移動して表示する（Ｓ２１）。１０２または１０３の変倍指示ＩＦが操作された場合は、指示に応じて半調データを変倍して表示する（Ｓ３１）。そして、新しい変倍値を変倍値を保持するメモリ領域に記録する（Ｓ３４）。１０４の回転指示ＩＦが操作された場合は、指示に応じて半調データを回転して表示する（Ｓ４１）。そして、新しい角度値を角度値を保持するメモリ領域に記録する（Ｓ４４）。測定ボタン１０６が押されたことを検知した場合は、その時メモリ領域に一時的に保持している変倍値および角度値をデータファイルに記録する（Ｓ５１）。このデータファイルはプレスキャン画像データファイルに関係付けられたファイル名等を付けられる。また、このデータファイルはプレスキャン画像に係る原稿の本スキャン用の分解条件設定データファイルとして用いられるものであってもよい。戻るボタン１０７が押されたことを検知した場合は、呼出される前のスキャナ制御手段１３の画面に戻る。通常はこの後引き続き同一のプレスキャン画像に基づいてハイライトセットアップ等の設定を行うことになる。
【００２４】
上記実施例では、プレスキャンデータを半調にすることにより割付指定イメージの絵の形とプレスキャン画像とがぴったり重なり合ったかどうかを視認し易くしている。重なりの一致を視認し易くするためには他の方法を用いてもよい。例えば、ステップＳ１３において、半調画像ではなく、プレスキャンデータを公知の画像処理アルゴリズムにより処理して輪郭線画像を作成し、以後のステップではこれに対して変倍回転を施して割付指定イメージに重ねて表示するようにしてもよい。半調画像あるいは上記輪郭線画像の変倍回転平行移動と割付指定イメージとの合成演算はソフトウエア的に実現することができるが、高速に処理させるための特別な演算処理装置を備えてもよい。また、実施例では、プレスキャン画像を変倍回転平行移動させて固定した割付指定イメージに一致させるとしたが、選択によりプレスキャン画像ではなく、割付指定イメージ４を変倍回転平行移動させることも可能とするものであってもよい。
【００２５】
割付指定イメージ４は、他の場所にある別の平面スキャナ等で入力した画像データを用いることもできる。但しその場合には、倍率角度測定画面１００の表示エリア１０１に表示させる際にそのデータの入力解像度を入力させて、プレスキャン画像の入力解像度との整合性を図る必要がある。
【００２６】
【発明の効果】
以上、詳しく説明してきたとおり、本発明に係るスキャナ制御装置を用いることにより、専用のスキャナ準備装置を使用せずに、倍率角度測定作業をスキャナオペレータがスキャナ準備作業の一部として行うことができるようになり、結果として工程を１つ減らすことが可能となるため生産性の向上が図れるという顕著な効果を奏する。
【図面の簡単な説明】
【図１】本発明の一実施形態であるスキャナ制御装置１の全体構成を説明するブロック図である。
【図２】割付指定イメージ４の一例である。
【図３】プレスキャン画像データ５の一例である。
【図４】モニタ１１上の倍率角度測定作業中の倍率角度測定画面１００を表した図である。
【図５】倍率角度測定手段１６の動作を説明するフローチャートである。
【図６】本スキャン時のスキャナ制御装置１を説明するブロック図である。
【符号の説明】
１　　　　　スキャナ制御装置
１０　　　コンピュータ本体
１１　　　モニタ
１２　　　入力装置
１３　　　スキャナ制御手段
１４　　　スキャナインターフェース
１５　　　ハードディスク
１６　　　倍率角度測定手段
２０　　　スキャナ
２１　　　平面スキャナ
【図１】
2004004280.tif 000003
【図２】
2004004280.tif 000004
【図３】
2004004280.tif 000005
【図４】
2004004280.tif 000006
【図５】
2004004280.tif 000007
【図６】
2004004280.tif 000008